(57)【特許請求の範囲】
【請求項１】
ケーブルに内蔵された芯線同士を離すことのできる柔軟性のある素材で構成された小スペーサーと、芯線間の距離を小スペーサーより離すことのできる比較的硬い素材でできた大スペーサーを用い、大スペーサーと小スペーサーを一定間隔で交互に配置して、芯線をらせん状にツイストさせながら取り付けることで、芯線同士の距離を離し、屈曲時の歪や芯線同士の摩擦を抑え可とう性を確保していることを特徴とするスターカッド構造の芯線配置（行き線２本、帰り線２本の合計４本の芯線で構成され、ケーブル断面の中心に対して１８０度の対称性を持つように行き線と帰り線が配置されているもの）を有したケーブル。
【発明の詳細な説明】
【技術分野】
【０００１】
本発明は電線の伝送特性を維持しつつ、極太線の可とう性を改善するためのケーブルに関する発明である。
【背景技術】
【０００２】
多くのメーカーからオーディオ用ケーブルが発売されているが従来のオーディオ用ケーブルは極太線の場合可とう性を悪化させることが問題であった。本発明は電線の伝送特性を維持しつつ、極太線の可とう性を改善するためのオーディオ用ケーブルに関する発明である。
【０００３】
一般的にはケーブルの可とう性を上げるための方法として、線数の多い縒り線を使う方法やPVC被覆を使う方法がある。ところがPVC被覆は誘電率が高いため静電容量が上がり、オーディオ用電線としては好ましくない。さらに抵抗値を下げるために電線の導体量を多くとった場合も静電容量が上がってしまい、従来のツイステッドペアなど一般的な組み方では低静電容量と低抵抗率を両立することは困難になる。
【０００４】
低静電容量と低抵抗率を両立する方法として、スペーサーを介した２芯平行線があるが、この方法ではツイステッドペアと比べノイズに弱くなるという欠点がある。この欠点を改善するためカッド構造を基本としてスペーサーを介して線間の距離をとった特殊カッド構造を考案した。これによりノイズキャンセリング能力を得ることができる。
【０００５】
ところがこの方法では可とう性が極めて悪くなると言う欠点があった。低静電容量と低抵抗率など、高特性と可とう性の両立は困難である。問題はケーブル自体が太くなってしまうと図１のように内側と外側の円周の長さＬ１とＬ２の差が大きくなるため、曲げようとするとケーブル自体に大きな歪が掛かる為である。図１のようにケーブルを９０°屈曲させた場合内側と外側の円周差は、Ｌ２−Ｌ１＝π・（Ｒ２−Ｒ１）／２となり、（Ｒ２−Ｒ１）はケーブルの直径であるから、ケーブルの直径が大きいほど、屈曲させた場合の歪が大きくなることを意味する。
【先行技術文献】
【特許文献】
【０００６】
【特許文献１】特許公開平５−３２５６５９
【０００７】
【特許文献２】特許公開平７−１２８５５２
【０００８】
【特許文献３】特許公開平１０−３１７３２１
【０００９】
【特許文献４】特許公開平１０−１４９７２８
【００１０】
【特許文献５】特許公開２００３−１６８５４
【００１１】
【特許文献６】特許公開２００７−４９８１３
【発明の概要】
【発明が解決しようとする課題】
【００１２】
解決しようとする課題は、導体の特性として低抵抗、低静電容量を両立し、それに伴うサイズアップによる可とう性の悪さの改善することである。
【課題を解決するための手段】
【００１３】
本発明は、低抵抗、低静電容量を実現するため、スペーサーを介してホット線、コールド線間の距離を確保している点、スペーサーを一定距離間隔で交互に入れ、スペーサーとスペーサーの間に空間を設けることで可とう性を得ている点、さらにホット線、コールド線間のループ面積拡大による外部ノイズの影響を抑えるためカッド構造としてノイズキャンセリング能力を付与している点に特徴がある。
【００１４】
ケーブルの導体量を増やすと直流抵抗値は下がるが、静電容量が増加する。静電容量を減らすためにスペーサーを介した２芯平行線があるが、反面ノイズに弱くなる欠点を持つ。
【００１５】
この問題を解決するため図２のようなケーブル構造を考案した。このケーブル構造の特徴は１と２の大小のスペーサーを交互に入れ、スペーサーとスペーサーとの間に空間を設けることでケーブル内の芯線同士との摩擦をなくし、芯線の周りの空間がケーブルを曲げた際の歪を吸収し、密に縒った構造よりも高い可とう性を得ることができる。
【００１６】
図３は大小のスペーサーの断面図で５は大スペーサー、６は小スペーサーの断面図である。大スペーサーは比較的硬い素材で、小スペーサーは綿やスポンジなど柔軟性のある素材で構成する。この蛇腹状の構造の場合、屈曲させると捩れながら歪を吸収していく。捩れるので芯線間の距離が変わるが、この距離の変化を吸収する役割を小スペーサーに任せている。これにより、ケーブルの可とう性を確保し、屈曲させても常に対称なスターカッド構造の芯線配置（行き線２本、帰り線２本の合計４本の芯線で構成され、ケーブル断面の中心に対して１８０度の対称性を持つように行き線と帰り線が配置されているもの）を維持することが可能になる。
【００１７】
図３の５、６で具体的に説明すると、例えば図３の５、６のケーブル断面図から見てケーブルの左右方向のどちらかに力をかけ、ケーブルを屈曲させた場合、中の芯線４−ａ、４−ｃはそれぞれケーブルの中心部に向かって力を受ける。これは図１を用いて前述したように、ケーブルを屈曲させた場合に内側と外側の円周差によって生じるものである。ケーブルを左右に屈曲させた時の円周差は大スペーサー（図３の５）と小スペーサー（図３の６）間の何もない空間（図２でなら１、２のスペーサーが取り付けられてない部分）で吸収され、小のスペーサー内の充填物によっても吸収される。もちろんこれだけでは芯線４−ｂ、４−ｄには円周差は生じないので、芯線４−ｂ、４−ｄ間の距離は変わらず４本の芯線４−ａ、４−ｂ、４−ｃ、４−ｄはスターカッド構造の位置関係を維持できない。
【００１８】
だが、ケーブルは図２のようにらせん状に捻られながら取り付けられているので、ケーブルの屈曲区間内で芯線４−ｂ、４−ｄが芯線４−ａ、４−ｃの位置にまでローテーションしていけば芯線４−ｂ、４−ｄ間にも円周差が生じるようになる。これによって芯線４−ｂ、４−ｄ間の円周差も芯線４−ａ、４−ｃの場合と同様にスペーサーが取り付けられていない何もない空間と小のスペーサー内の充填物によって吸収されていく。
【００１９】
ケーブルの系全体で見るとケーブルを屈曲させると、円周差が生じて芯線４−ａ、４−ｂ、４−ｃ、４−ｄはそれぞれケーブルの中心部に向かって力を受けることになる。それぞれの芯線がケーブルの中心部に向かって力を受けると言う事は芯線４−ａ、４−ｂ、４−ｃ、４−ｄ間の距離が縮まることを意味している。
【００２０】
上記のことは別の見方をするとそれぞれの芯線がケーブルの中心部に向かって力を受け芯線間の距離が縮まっていくと言う事は、ケーブルが捩れて芯線間の距離が縮まっていくことを意味している。芯線間の距離を縮めようとする負荷が、芯線を捩る力として働いていくということである。
つまりこのケーブルは屈曲時の歪を捩れる事で吸収し、捩れた時の芯線間の距離の短縮をスペーサーが取り付けられていない自由空間と小のスペーサー内の充填物によって吸収するケーブルである。これにより、スペーサーが取り付けられていない空間はケーブルが何にも遮られることなく動くことが出来るので、少ない負荷でケーブルを曲げることができ、本発明の特長である可とう性の良さを得ることが出来る。
【発明の効果】
【００２１】
・ケーブルの可とう性を改善できる。
【００２２】
・行き線と帰り線の距離が開いており、誘電体を挟まない空間があるので、静電容量を大幅に下げられる。
【００２３】
・同じく行き線と帰り線の距離が開いているので、線間の磁気的なクロストーク、つまり近接する芯線が発する磁界の影響を小さくできるので、芯線を横切る磁界が小さく、渦電流の影響を抑えられる。（ただし、全体のインダクタンス成分は行き線と帰り線を密にしたほうが、低減するのでこの構造ではインダクタンス成分が増加する。）
【００２４】
・屈曲させても常に対称なカッド構造を維持し、ノイズキャンセリング効果を発揮する。
【図面の簡単な説明】
【００２５】
【図１】図１はケーブルの屈曲における円周差を示した説明図である。
【図２】図２は特殊カッド構造のケーブルの実施方法を示した説明図である。（実施例１）
【図３】図３は特殊カッド構造のケーブルに使用するスペーサーの断面図である。
【発明を実施するための形態】
【００２６】
低抵抗、低静電容量と可とう性の両立という目的を、小型のスペーサーを一定間隔で配置することで実現した。
【実施例１】
【００２７】
図２は、本発明の実施例の説明図であり、大スペーサー１、小スペーサー２、ジャケット３、ケーブルに内蔵されている芯線４で構成され、芯線４は４本の芯線、芯線４−ａ、芯線４−ｂ、芯線４−ｃ、芯線４−ｄからなる。
【００２８】
大スペーサー１、小スペーサー２は交互に入れており、芯線４同士の距離を一定以上に保つようになっている。４つの芯線は行き線と帰り線を交互に配置したスターカッド構造と同様の芯線配置となっておりノイズキャンセリング効果を得られるようになっている。
【００２９】
この構造のもうひとつの特徴は大スペーサーと小スペーサーを交互に入れて蛇腹状にしている点にある。これによりケーブルを屈曲させると、芯線が捩れ、屈曲による歪を吸収する。
【００３０】
また芯線が捩れる事で歪を吸収するので、４つの芯線は常に等間隔を維持し、常に対称なスターカッド構造の芯線配置となる。さらに大スペーサー１、小スペーサー２の間には誘電体を詰めないので静電容量が大幅に減らせる利点がある。
【産業上の利用可能性】
【００３１】
多くの導体量が必要で、低容量、耐ノイズ性が必要で可とう性が要求される用途にも適用できる。
【符号の説明】
【００３２】
１        大スペーサー
２        小スペーサー
３        ジャケット
４        芯線
４−ａ    芯線４−ａ（行き線）
４−ｂ    芯線４−ｂ（帰り線）
４−ｃ    芯線４−ｃ（行き線）
４−ｄ    芯線４−ｄ（帰り線）
５        大スペーサー（断面図）
６        小スペーサー（断面図）
【図１】
0005467611.tif 000002
【図２】
0005467611.tif 000003
【図３】
0005467611.tif 000004